(57)【要約】【課題】形状、寸法の異なる種々の軒樋に対応できる軒樋吊り具を提供する。【解決手段】軒樋吊り具１の吊り具本体１Ａは、軒樋２の前耳２ｄを係止する前耳係止体２０と、軒樋２の後耳２ｂを係止する後耳係止体１０とを備えており、前耳係止体２０と後耳係止体１０とを吊りボルト５とナット６とにより結合して使用されるようになっている。【選択図】図１
2015010319.tif 000002
【特許請求の範囲】
【請求項１】
軒樋を吊り具本体で係止した状態で、該吊り具本体を吊りボルトで屋根部に吊り支持する軒樋吊り具において、
前記吊り具本体は、軒樋の前耳を係止する前耳係止体と、軒樋の後耳を係止する後耳係止体とを備えており、前記前耳係止体と前記後耳係止体とを前記吊りボルトとナットとにより結合して使用されるようにしたことを特徴とする軒樋吊り具。
【請求項２】
請求項１において、
前記前耳係止体は、前記後耳係止体に対して前後方向に進退自在に結合される軒樋吊り具。
【発明の詳細な説明】
【技術分野】
【０００１】
本発明は、軒樋を吊り具本体で係止した状態で、吊り具本体を吊りボルトで吊り支持する軒樋吊り具に関する。
【背景技術】
【０００２】
従来のこの種の軒樋吊り具の吊り具本体は、軒樋の前耳を係止する前耳係止部と、軒樋の後耳を係止する後耳係止部とを一体に備えており、それらの相対的な位置関係が定まった構成となっている（たとえば、特許文献１参照）。つまり、形状、寸法の異なる種々の軒樋に対応して個別の軒樋吊り具（吊り具本体）を使用することが通例となっている。
【先行技術文献】
【特許文献】
【０００３】
【特許文献１】特開２０１２−２２２９５５号公報
【発明の概要】
【発明が解決しようとする課題】
【０００４】
しかしながら、軒樋には耳を含む全体の形状、寸法の異なる数多くの種類があり、それら数多くの種類の軒樋に対応して軒樋吊り具を生産することは、生産ラインの増大化につながるため、生産面やコスト面において決して効率的とはいえない。
【０００５】
本発明は、このような事情を考慮して提案されたもので、その目的は、形状、寸法の異なる種々の軒樋に対応できる軒樋吊り具を提供することにある。
【課題を解決するための手段】
【０００６】
上記目的を達成するために、請求項１に記載の軒樋吊り具は、軒樋を吊り具本体で係止した状態で、該吊り具本体を吊りボルトで屋根部に吊り支持する軒樋吊り具において、吊り具本体は、軒樋の前耳を係止する前耳係止体と、軒樋の後耳を係止する後耳係止体とを備えており、前耳係止体と後耳係止体とを吊りボルトとナットとにより結合して使用されるようにしたことを特徴とする。
【０００７】
請求項２に記載の軒樋吊り具は、前耳係止体が後耳係止体に対して前後方向に進退自在に結合されることを特徴とする。
【発明の効果】
【０００８】
請求項１に記載の軒樋吊り具によれば、上述の構成となっているため、前耳係止体と後耳係止体とを組み合わせることで、種々の形状、寸法の軒樋に対応させることができる。
【０００９】
たとえば、後耳の形状が同一で前耳の形状が相違する複数種の軒樋に対応して、個別に軒樋吊り具を製造する必要はなく、共通の後耳係止体にそれぞれの軒樋の前耳の形状に合致した前耳係止体を組み合わせて軒樋吊り具を構成すればよい。前耳の形状が同一な複数種の軒樋についても同様である。つまり、部材を共通化できるので生産面やコスト面での効率化を図れる。
【００１０】
請求項２に記載の軒樋吊り具によれば、前耳係止体は後耳係止体に対して前後方向に進退自在に後耳係止体と結合されるようになっているので、前耳、後耳の両形状がともに同一で前耳、後耳間の寸法が異なる複数種の軒樋に対応して、個別の軒樋吊り具を製造する必要はなく、吊り具本体の構成部材である前耳係止体、後耳係止体間の寸法を調節するだけでよい。
【図面の簡単な説明】
【００１１】
【図１】本発明の一実施形態に係る軒樋吊り具の分解斜視図である。
【図２】図１の軒樋吊り具の取付状態を示した正面図である。
【図３】（ａ）、（ｂ）は、図１の軒樋吊り具の取付状態の他例を示した一部を省略した正面図である。
【図４】（ａ）、（ｂ）は、本発明の他の２種の実施形態に係る軒樋吊り具の正面図である。
【図５】本発明のさらに他の実施形態の説明図であり、（ａ）、（ｂ）は軒樋吊り具の取付状態の２例を示した一部を省略した正面図である。
【発明を実施するための形態】
【００１２】
以下に、本発明の実施の形態について、添付図面を参照して説明する。
【００１３】
図１は、本発明の一実施形態に係る軒樋吊り具の分解斜視図である。図２は、図１の軒樋吊り具の取付状態を示した正面図である。図３（ａ）、（ｂ）は、図１の軒樋吊り具の取付状態の他例を示した一部を省略した正面図である。
【００１４】
この軒樋吊り具１は、折板屋根９（屋根部）の山部等に吊り下げ固定されるタイプの吊り具であり、折板屋根９に吊り下げ固定される吊りボルト５と、その吊りボルト５の下部に取り付ける吊り具本体１Ａとを有している。
【００１５】
この軒樋吊り具１の使用状態における折板屋根９に対する取付構造は、吊りボルト５の上部において、防水パッキン、山座７を介した上方のナット６および折板屋根９の下方に配したナット６の吊りボルト５に対する螺着により折板屋根９を挟持固定する構造となっている。また、吊りボルト５の下部においては、吊りボルト５と吊り具本体１Ａとが上方のナット６および下方のナット６の螺着により連結固定される構造となっている。
【００１６】
すなわち、これら上下２組のナット６、６、・・・を吊りボルト５に対して位置調節することによって、軒樋２の設置高さ位置を調節できるようになっている。
【００１７】
また、本軒樋吊り具１に支持される軒樋２には、吊り支持されるための被係止部として、軒先側（後方）の後方壁２ａの上端に後耳２ｂが設けられ、前方壁２ｃの上端に前耳２ｄが設けられている（図２参照）。
【００１８】
吊り具本体１Ａは、図１および図２に示すように、軒樋２の後耳２ｂを係止する後耳係止体１０と、軒樋２の前耳２ｄを係止する前耳係止体２０とを備えている。いずれの係止体も、素材をステンレス等の金属材料とすることが望ましいが、プラスチック等の合成樹脂で製したものとしてもよい。
【００１９】
後耳係止体１０と前耳係止体２０とは、吊りボルト５およびナット６、６を固定部材として分離自在に結合、一体化される構成となっている。そして、吊り具本体１Ａが軒樋２を係止固定した状態で、吊りボルト５が後耳係止体１０と前耳係止体２０とよりなる吊り具本体１Ａおよびそれに吊り支持された軒樋２を吊り支持する。以下、詳細に説明する。
【００２０】
後耳係止体１０および前耳係止体２０はいずれも帯状の板体を折曲加工してなり、いずれも相互に結合するための板状部１３、２３と、その板状部１３、２３よりも上方に突出した、軒樋２の耳（後耳２ｂ、前耳２ｄ）を係止するための係止部（後耳係止部１１、前耳係止部２１）とを有した形状とされる。
【００２１】
後耳係止部１１は、上方に突出形成されており、その裏側の凹所には軒樋２の後耳２ｂを係止する係止片１２が取り付けられている。後耳係止部１１は下方に開口した形状とされており、板状部１３とほぼ平行な頂面部１１ａと、その頂面部１１ａの前後端より下方に延びた前側壁部１１ｂ、後側壁部１１ｃとを有した形状となっている。この後側壁部１１ｃの下端には、前方に折曲された後耳載置部１１ｅが形成されている。また、係止片１２は頂面部１１ａの裏側にリベット１６で固定されている（図２参照）。
【００２２】
係止片１２は、ばね性を有した金属薄板をコ字状に折曲加工してなり、後方に向けて突出した押さえ片部１２ｂと、頂面部１１ａにリベットで固着される固着部１２ａとを一体に備えている。この係止片１２、頂面部１１ａおよび後側壁部１１ｃにより後耳収容空間１１ｄが形成されている。
【００２３】
後耳係止体１０の板状部１３は、前側壁部１１ｂの下端より前方に延出形成されている。この板状部１３には、前耳係止体２０と結合するための上下に通じる長手方向に沿った長孔１３ａが形成されている。
【００２４】
また、この後耳係止体１０には、板状部１３の前端部から後側壁部１１ｃにいたるまで、幅方向の両端に補強用のリブ１４、１４が形成されている。このリブ１４、１４は、縦断面視で上方が山状に突出し、下方が凹んだ形状となっている。
【００２５】
一方、前耳係止体２０の前耳係止部２１は、上方に突出形成されており、その裏側の凹所には軒樋２の前耳２ｄを係止する係止片２２が取り付けられている。前耳係止部２１は下方に開口した形状とされており、板状部２３とほぼ平行な頂面部２１ａと、その頂面部２１ａの前後端より下方に延びた前側壁部２１ｂ、後側壁部２１ｃとを有した形状となっている。この前側壁部２１ｂの下部には、後方に折曲された前耳載置部２１ｅが形成されている。また、係止片２２は頂面部２１ａの裏側にリベット２６で固定されている（図２参照）。
【００２６】
係止片２２は、後耳係止体１０の係止片１２と同様に、ばね性を有した金属薄板をコ字状に折曲加工してなり、前方に向けて突出した押さえ片部２２ｂと、頂面部２１ａにリベット２６で固着される固着部２２ａとを一体に備えている。この係止片２２、頂面部２１ａおよび前側壁部２１ｂにより前耳収容空間２１ｄが形成されている。
【００２７】
前耳係止体２０の板状部２３は、後側壁部２１ｃの下端より後方に延出形成されている。この板状部２３には、後耳係止体１０と結合するための上下に通じる丸孔２３ａが形成されている。
【００２８】
また、この前耳係止体２０には、前側壁部２１ｂから板状部２３の後端部にいたるまで、幅方向の両端に補強用のリブ２４、２４が形成されている。このリブ２４、２４は、縦断面視で上方が山状に突出し、下方が凹んだ形状となっている。
【００２９】
以上に説明した後耳係止体１０と前耳係止体２０とは、山状のリブ１４、２４を含む板状体同士を上下に重ねて結合できるように、板状部１３、２３の幅寸法、リブ１４、２４の形状、寸法は重ねたときに幅方向にずれない程度に相互に同一となっている。
【００３０】
この前耳係止体２０を後耳係止体１０に被せ、丸孔２３ａと長孔１３ａとの重合孔に吊りボルト５を通しナット６、６で螺着することで前耳係止体２０と後耳係止体１０とが結合し、相互に固定される。こうして、両部材が分離自在で、図２の白抜き矢印の方向に両部材がスライド自在な軒樋吊り具１が形成される。
【００３１】
軒樋２は、以上のように一体化された吊り具本体１Ａに次のようにして取り付けられる。
【００３２】
軒樋２を取り付けるには、まず軒樋２の後耳２ｂで係止片１２の押さえ片部１２ｂを弾性的に押し上げることで、後耳２ｂが後耳収容空間１１ｄに収容され、後耳載置部１１ｅに設置される。いったん後耳２ｂが後耳収容空間１１ｄに収容されると、押さえ片部１２ｂが弾性復帰して軒樋２の後耳２ｂを前方より押さえる状態になる。押さえ片部１２ｂの弾性復帰によりこのような状態になれば、後耳収容空間１１ｄより後耳２ｂの抜け出る隙間がなくなり、後耳２ｂの落下が防止される。
【００３３】
軒樋２の前耳２ｄにおいても同様であり、前耳２ｄで係止片２２の押さえ片部２２ｂを弾性的に押し上げることで、前耳２ｄが前耳収容空間２１ｄに収容され、前耳載置部２１ｅに設置される。いったん前耳２ｄが前耳収容空間２１ｄに収容されると、押さえ片部２２ｂが弾性復帰して軒樋２の前耳２ｄを後方より押さえる状態となる。押さえ片部２２ｂの弾性復帰によりこのような状態になれば、前耳収容空間２１ｄより前耳２ｄの抜け出る隙間がなくなり、前耳２ｄの落下が防止される。
【００３４】
以上のように、この軒樋吊り具１は、前耳係止体２０と後耳係止体１０とが結合、分離自在な吊り具本体１Ａを有した構成となっているため、前耳係止体２０と後耳係止体１０とを分離してコンパクトに保管、輸送でき、必要なときに組み立てることができる。現場でも調整が可能である。
【００３５】
特に、本実施形態の軒樋吊り具１の吊り具本体１Ａは、丸孔２３ａと長孔１３ａとの重合により、前耳係止体２０が後耳係止体１０に対して前後方向に進退自在となるように結合される構成であるため、図３（ａ）、（ｂ）に示すように、吊りボルト５による結合位置を異ならせることで、同種の軒樋吊り具１で幅寸法の異なる複数種の軒樋２、２を吊り支持することができる。
【００３６】
また、後耳係止体１０と前耳係止体２０とは吊りボルト５で結合する構成であるため、分離構成にもかかわらず、結合のための固定部材を用いなくてもよく、部材数の増大化を防止できる。
【００３７】
さらに、後耳係止体１０および前耳係止体２０の板状部１３、２３同士が結合可能な構造であれば、図４（ａ）または図４（ｂ）に示すように、後耳係止体１０を図１と同じものにして、前耳係止体２０だけを他の形状のものに変えるようにすることもできる。
【００３８】
図４（ａ）に示した軒樋吊り具１では、前耳係止体２０の前耳係止部２１が図２に示したものより低い位置に形成されており、これにより前耳２ｄと後耳２ｂがほぼ同じ高さに形成された軒樋２を吊り支持できるようになっている。なお、前耳係止部２１の構造および前耳係止体２０と後耳係止体１０との結合構造は図１のものと同様であるので、図面に同一の符号を付してその説明は省略する。
【００３９】
また、図４（ｂ）に示した軒樋吊り具１では、前耳係止体２０の前耳係止部２１がＶ字状に形成され、その前耳係止部２１の先端に上方に突出した係止突片２１ｆが形成されている。この係止突片２１ｆに、図４（ｂ）に示したような折曲された前耳２ｄが係止される。なお、前耳係止体２０と後耳係止体１０との結合構造は図１のものと同様であるので、図面に同一の符号を付してその説明は省略する。
【００４０】
このように、本発明の軒樋吊り具１は、吊り具本体１Ａを、相互に別体の後耳係止体１０と前耳係止体２０とを組み合わせて形成したものであるため、種々の組み合わせにより多様な形状の軒樋２に対応した軒樋吊り具１を形成することができる。
【００４１】
図４の２例では、図１と同一種の後耳係止体１０に対して、異なる前耳係止体２０を組み合わせたものを示したが、同一種の前耳係止体２０に対して、種々の後耳係止体１０を組み合わせてもよい。
【００４２】
ついで、本発明のさらに他の実施形態に係る軒樋吊り具について、図５（ａ）、（ｂ）の各縦断面図を参照しながら説明する。
【００４３】
この軒樋吊り具１の吊り具本体１Ａは、図１、図２に示した軒樋吊り具１と比較すると、吊り支持する軒樋２（図２参照）の形状については同一であり、構成部材である後耳係止体１０の後耳係止部１１および前耳係止体２０の前耳係止部２１の各構造についても同一であるが、後耳係止体１０と前耳係止体２０との板状部１３、２３同士の結合構造が異なる。
【００４４】
すなわち、図５（ａ）、（ｂ）に示したものでは、後耳係止体１０の板状部１３と前耳係止体２０の板状部２３との相互に接触するそれぞれの面に凹凸１３ｂ、２３ｂが形成されており、それらが凹凸嵌合して、吊りボルト５とナット６との螺着による結合を補完するようになっている。
【００４５】
図５（ａ）、（ｂ）には、前耳係止部２１、後耳係止部１１間の寸法を異ならせて前耳係止体２０と後耳係止体１０とが結合した状態を示したが、これらの図に示すように、前耳係止体２０と後耳係止体１０とは凹凸１３ｂ、２３ｂ同士が凹凸嵌合して固定されるので、横方向のずれや回転ずれを防止することができる。
【００４６】
以上に示した実施形態では、後耳係止体１０に長孔１３ａ、前耳係止体２０に丸孔２３ａを設けた構成としたが、後耳係止体１０に丸孔、前耳係止体２０に長孔を設けた構成としてもよい。また、いずれにも丸孔を設けた構成としてもよいし、いずれにも長孔を設けた構成としてもよい。いずれにも長孔を設けた構成では、両方の長孔の内側面の向かい合う凹部間のみに吊りボルト５を挿通できるような凹凸を設けて、吊りボルト５を通すことで横方向のずれが発生しないようにすればよい。
【符号の説明】
【００４７】
１          軒樋吊り具
２          軒樋
２ｂ        後耳
２ｄ        前耳
５          吊りボルト
６          ナット
９          折板屋根（屋根部）
１Ａ        吊り具本体
１０        後耳係止体
１１        後耳係止部
１２        係止片
１３        板状部
１３ａ      長孔
２０        前耳係止体
２１        前耳係止部
２２        係止片
２３        板状部
２３ａ      丸孔
【図１】
2015010319.tif 000003
【図２】
2015010319.tif 000004
【図３】
2015010319.tif 000005
【図４】
2015010319.tif 000006
【図５】
2015010319.tif 000007
【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
軒樋を吊り具本体で係止した状態で、該吊り具本体を吊りボルトで屋根部に吊り支持する軒樋吊り具において、
前記吊り具本体は、軒樋の前耳を係止する、板体を折曲加工してなる前耳係止体と、軒樋の後耳を係止する、板体を折曲加工してなる後耳係止体とを備えており、前記前耳係止体と前記後耳係止体とを前記吊りボルトとナットとにより結合して使用されるようになっており、
前記前耳係止体は、下方側に凹所が形成されるように後方に向けて折曲させた前耳載置部を有した前耳係止部を備え、該前耳係止部の裏側に、前方に向けて突出した押さえ片部と、前記前耳係止部に固着される固着部とを、ばね性を有した金属薄板をコ字状に折曲加工して一体に備えた係止片が取り付けられ、該係止片と前記前耳係止部とにより前耳収容空間が形成されている一方、
前記後耳係止体は、下方側に凹所が形成されるように前方に向けて折曲させた後耳載置部を有した後耳係止部を備え、該後耳係止部の裏側に、後方に向けて突出した押さえ片部と、前記後耳係止部に固着される固着部とを、ばね性を有した金属薄板をコ字状に折曲加工して一体に備えた係止片が取り付けられ、該係止片と前記後耳係止部とにより後耳収容空間が形成されており、
前記前耳載置部に載置され前記前耳収容空間に収容された前記軒樋の前耳が、前記前耳係止体の係止片の押さえ片部で後方より押さえられ、前記後耳載置部に載置され前記後耳収容空間に収容された前記軒樋の後耳が、前記後耳係止体の係止片の押さえ片部で前方より押さえられて、前記軒樋が吊り支持されるようになっていることを特徴とする軒樋吊り具。
【請求項２】
請求項１において、
前記前耳係止体は、前記後耳係止体に対して前後方向に進退自在に結合される軒樋吊り具。
【手続補正２】
【補正対象書類名】明細書
【補正対象項目名】０００６
【補正方法】変更
【補正の内容】
【０００６】
上記目的を達成するために、請求項１に記載の軒樋吊り具は、軒樋を吊り具本体で係止した状態で、該吊り具本体を吊りボルトで屋根部に吊り支持する軒樋吊り具において、吊り具本体は、軒樋の前耳を係止する、板体を折曲加工してなる前耳係止体と、軒樋の後耳を係止する、板体を折曲加工してなる後耳係止体とを備えており、前耳係止体と後耳係止体とを吊りボルトとナットとにより結合して使用されるようになっており、前耳係止体は、下方側に凹所が形成されるように後方に向けて折曲させた前耳載置部を有した前耳係止部を備え、該前耳係止部の裏側に、前方に向けて突出した押さえ片部と、前耳係止部に固着される固着部とを、ばね性を有した金属薄板をコ字状に折曲加工して一体に備えた係止片が取り付けられ、該係止片と前記前耳係止部とにより前耳収容空間が形成されている一方、後耳係止体は、下方側に凹所が形成されるように前方に向けて折曲させた後耳載置部を有した後耳係止部を備え、該後耳係止部の裏側に、後方に向けて突出した押さえ片部と、後耳係止部に固着される固着部とを、ばね性を有した金属薄板をコ字状に折曲加工して一体に備えた係止片が取り付けられ、該係止片と後耳係止部とにより後耳収容空間が形成されており、前耳載置部に載置され前記前耳収容空間に収容された軒樋の前耳が、前耳係止体の係止片の押さえ片部で後方より押さえられ、後耳載置部に載置され後耳収容空間に収容された軒樋の後耳が、後耳係止体の係止片の押さえ片部で前方より押さえられて、軒樋が吊り支持されるようになっていることを特徴とする。
【手続補正３】
【補正対象書類名】明細書
【補正対象項目名】００４７
【補正方法】変更
【補正の内容】
【００４７】
１          軒樋吊り具
２          軒樋
２ｂ        後耳
２ｄ        前耳
５          吊りボルト
６          ナット
９          折板屋根（屋根部）
１Ａ        吊り具本体
１０        後耳係止体
１１        後耳係止部
１１ｄ      後耳収容空間
１１ｅ      後耳載置部
１２        係止片
１２ａ      固着部
１２ｂ      押さえ片部
１３        板状部
１３ａ      長孔
２０        前耳係止体
２１        前耳係止部
２１ｄ      前耳収容空間
２１ｅ      前耳載置部
２２        係止片
２２ａ      固着部
２２ｂ      押さえ片部
２３        板状部
２３ａ      丸孔